(57)【要約】【課題】ストレートケーブルおよびクロスケーブルのいずれの機能も備え、しかも容易に製作することが可能なＬＡＮケーブル用コネクタおよびこのＬＡＮケーブル用コネクタを用いたＬＡＮケーブルを提供する。【解決手段】ＬＡＮケーブル用コネクタ２０一方の面側２１ｂに設けられケーブル１１の心線１１ａ、１１ｂ、１１ｃ、１１ｆと接続可能なストレート接続用端子２２と、ストレート接続用端子２２の反対側の面側２１ｃに設けられるクロス接続用端子２３と、クロス接続用端子２３とＬＡＮケーブル用コネクタ２０内で接続されストレート接続用端子２２の圧着によってストレート接続用端子２２に接続される端子接続導体２５とを備える。【選択図】  図１
2009134912.tif 000002
【特許請求の範囲】
【請求項１】
コネクタの一方の面側に設けられケーブルの心線と接続可能なストレート接続用端子と、
前記ストレート接続用端子の反対側の面側に設けられるクロス接続用端子と、
前記クロス接続用端子と前記コネクタ内で接続され前記ストレート接続用端子の圧着によって前記ストレート接続用端子に接続される端子接続導体と、
を備えたことを特徴とするＬＡＮケーブル用コネクタ。
【請求項２】
前記コネクタが挿入される接続ポートと係合可能な第一のコネクタロック爪を備え、前記第一のコネクタロック爪は前記ストレート接続用端子の面側および前記クロス接続用端子の面側のいずれにも取付け可能に構成されていることを特徴とする請求項１に記載のＬＡＮケーブル用コネクタ。
【請求項３】
前記ストレート接続用端子の面側および前記クロス接続用端子の面側には、前記コネクタが挿入される接続ポートと係合可能な第二のコネクタロック爪が前記コネクタの挿入方向に伸縮可能に設けられており、前記第二のコネクタロック爪は前記コネクタの挿入方向の収縮に伴う隆起によって前記接続ポートに係合するように構成されていることを特徴とする請求項１に記載のＬＡＮケーブル用コネクタ。
【請求項４】
前記ストレート接続用端子の面側および前記クロス接続用端子の面側には、端子の種別を表示する表示手段が設けられていることを特徴とする請求項１に記載のＬＡＮケーブル用コネクタ。
【請求項５】
請求項１ないし請求項４のいずれかに記載のＬＡＮケーブル用コネクタを備えたことを特徴とするＬＡＮケーブル。
【発明の詳細な説明】
【技術分野】
【０００１】
この発明は、通信機器類の接続に使用されるＬＡＮケーブル用コネクタおよびこのＬＡＮケーブル用コネクタを用いたＬＡＮケーブルに関する。
【背景技術】
【０００２】
ＬＡＮ（Ｌｏｃａｌ  Ａｒｅａ  Ｎｅｔｗｏｒｋ）ケーブルは、コンピュータや周辺機器などの端末同士の接続に用いられており、ＬＡＮケーブルの種類にはストレートケーブルとクロスケーブルがある。図９は、従来におけるＬＡＮケーブルの使用例を示しており、端末機器１の接続ポート２には、ケーブル３の端部に取付けられたコネクタ４が挿入されている。図１２は、ストレートケーブルの場合のケーブル３とコネクタ４との接続構造を示している。図１２に示すように、ストレートケーブルではケーブル３の心線（信号線）３ａ〜３ｈがまっすぐ配線されているタイプであり、両端のコネクタ４の心線３ａ〜３ｈの並びが同じである。図１３は、クロスケーブルの場合のケーブル３とコネクタ４との接続構造を示している。図１３に示すように、クロスケーブルではケーブル３の心線（信号線）３ａ〜３ｈが交差して配線されているタイプであり、両端のコネクタ４の心線３ａ〜３ｈの並びが異なる。
【０００３】
ところで、ＬＡＮケーブルにおいては、ストレートケーブルとクロスケーブルは外観上相違がないことから、見た目ではその違いを判別することができず、ケーブルの種類を間違えた場合は通信ができなくなるという問題があった。そこで、ストレートケーブルとクロスケーブルの双方の機能を持たせるようにした技術が開発されており、その一例として、下記の特許文献１、２が知られている。特許文献１の切替ジャックには、ストレートケーブル用およびクロスケーブル用の接続ポートがそれぞれ設けられており、コネクタを必要に応じていずれかの接続ポートに挿入可能となっている。特許文献２のＬＡＮケーブルでは、コネクタ内に回転型の信号切替部が設けられており、コネクタの先端部分を軸心周りに回転させることにより、ケーブルの心線の接続を切替えるようにしている。
【特許文献１】特開平１１−１９５４６８号公報
【特許文献２】特開２００３−１８７８８６号公報
【発明の開示】
【発明が解決しようとする課題】
【０００４】
しかし、特許文献１の切替ジャックは、ストレートケーブル用およびクロスケーブル用の二つの接続ポートが必要となるので、外形が大きくなり、スペースが限定される場合は使用ができないという問題がある。また、特許文献２のＬＡＮケーブルでは、コネクタ内に設けられた回転型の信号切替部により心線の接続を切替えているので、信号切替部の電気的接触が不安定になりやすく信頼性に欠けるという問題がある。
【０００５】
また、ＬＡＮ内に接続できるネットワーク機器を増やすために用いられるＨＵＢを使用すればケーブルの種類は無関係になるが、ＨＵＢの電源確保やＬＡＮケーブルが余分に必要となるという問題がある。さらに、上記のように、ストレートケーブルは心線がまっすぐ配線されているタイプであるため、ストレートケーブルが必要である場合はこれを容易に自作することが可能であるが、クロスケーブルを作ることは難しいという問題もある。
【０００６】
そこでこの発明は、ストレートケーブルおよびクロスケーブルのいずれの機能も備え、しかも容易に製作することが可能なＬＡＮケーブル用コネクタおよびこのＬＡＮケーブル用コネクタを用いたＬＡＮケーブルを提供することを目的とする。
【課題を解決するための手段】
【０００７】
上記目的を達成するために請求項１に記載の発明は、コネクタの一方の面側に設けられケーブルの心線と接続可能なストレート接続用端子と、前記ストレート接続用端子の反対側の面側に設けられるクロス接続用端子と、前記クロス接続用端子と前記コネクタ内で接続され前記ストレート接続用端子の圧着によって前記ストレート接続用端子に接続される端子接続導体と、を備えたことを特徴とするＬＡＮケーブル用コネクタである。
【０００８】
この発明によれば、ストレート接続用端子を圧着することにより、このストレート接続用端子が端子接続導体側に移動し、ストレート接続用端子と端子接続導体との接続が行われる。端子接続導体は、コネクタ内でクロス接続用端子と予め接続されているので、ストレート接続用端子およびクロス接続用端子のいずれもがケーブルの心線と接続可能となる。
【０００９】
請求項２に記載の発明は、請求項１に記載のＬＡＮケーブル用コネクタにおいて、前記コネクタが挿入される接続ポートと係合可能な第一のコネクタロック爪を備え、前記第一のコネクタロック爪は前記ストレート接続用端子の面側および前記クロス接続用端子の面側のいずれにも取付け可能に構成されていることを特徴としている。
【００１０】
請求項３に記載の発明は、請求項１に記載のＬＡＮケーブル用コネクタにおいて、前記ストレート接続用端子の面側および前記クロス接続用端子の面側には、前記コネクタが挿入される接続ポートと係合可能な第二のコネクタロック爪が前記コネクタの挿入方向に伸縮可能に設けられており、前記第二のコネクタロック爪は前記コネクタの挿入方向の収縮に伴う隆起によって前記接続ポートに係合するように構成されていることを特徴としている。
【００１１】
請求項４に記載の発明は、請求項１に記載のＬＡＮケーブル用コネクタにおいて、前記ストレート接続用端子の面側および前記クロス接続用端子の面側には、端子の種別を表示する表示手段が設けられていることを特徴としている。
【００１２】
請求項５に記載の発明は、請求項１ないし請求項４のいずれかに記載のＬＡＮケーブル用コネクタを備えたことを特徴とするＬＡＮケーブルである。
【発明の効果】
【００１３】
請求項１に記載の発明によれば、一つのＬＡＮケーブル用コネクタに、ストレート接続用端子とクロス接続用端子の双方が設けられているので、ケーブルの接続を間違えた場合でも、コネクタを反転させるのみでケーブルを必要とする種類に切替えることができる。しかも、ストレート接続用端子を圧着するだけでよいため、容易に製作することが可能である。また、コネクタの大きさは従来と変わらないので、上記特許文献１の切替ジャックのようにスペースが限定されることもない。さらに、ＬＡＮケーブル用コネクタの電気的接続部分には可動部がないため、従来のＬＡＮケーブルと同様に高い信頼性を維持することができる。
【００１４】
請求項２に記載の発明によれば、第一のコネクタロック爪は、ストレート接続用端子の面側およびクロス接続用端子の面側のいずれにも取外し可能に固定することができるので、コネクタを反転させて使用する場合でも、コネクタのロックを確実に行うことができる。
【００１５】
請求項３に記載の発明によれば、第二のコネクタロック爪は、コネクタの挿入方向に伸縮可能となっており、収縮に伴う隆起によって接続ポートに係合するので、コネクタを反転させる場合でも第二のコネクタロック爪を取外す必要がなく、操作が容易となる。
【００１６】
請求項４に記載の発明によれば、コネクタには表示手段が設けられているので、ケーブルの種別を一目で判別することができる。
【００１７】
請求項５に記載の発明によれば、ＬＡＮケーブルは請求項１から請求項４までのいずれか一つのＬＡＮケーブル用コネクタを有するので、従来のＬＡＮケーブルに比べて取り扱い機能を高めることができる。
【発明を実施するための最良の形態】
【００１８】
つぎに、この発明の実施の形態について図面を用いて詳しく説明する。
【００１９】
（実施の形態１）
図１ないし図７は、この発明の実施の形態１を示している。図７に示すように、ＬＡＮケーブル１０は、主にケーブル１１とＬＡＮケーブル用コネクタ２０とから構成されている。ケーブル１１は、図２に示すように８本の心線（信号線）１１ａ〜１１ｈを有している。ＬＡＮケーブル１０においては、８本の心線１１ａ〜１１ｈは、すべて通信に使用される。ＬＡＮケーブル用コネクタ２０は、主にコネクタ本体２１と、ストレート接続用端子２２と、クロス接続用端子２３と、第一のコネクタロック爪２４、端子接続導体２５とから構成されている。ケーブル１１の端部は、コネクタ本体２１の後端部に形成されたケーブル穴２１ｈに挿入されている。
【００２０】
図４に示すように、コネクタ本体２１は、直方体状に形成されており、電気的絶縁性を有する樹脂から構成されている。コネクタ本体２１の一方の面側２１ｂにおける前面部２１ａには、複数の仕切壁２１ｄがケーブル１１の軸方向と直交する方向に所定の間隔をもって形成されている。仕切壁２１ｄは、ケーブル１１の軸方向と平行となる方向に延びている。コネクタ本体２１の一方の面側２１ｂにおける前面部２１ａには、仕切壁２１ｄによって８つの保持溝２１ｅが形成されている。各保持溝２１ｅには、ストレート接続用端子２２が保持されている。各ストレート接続用端子２２は、電気的接触抵抗の小さな薄板金属板から構成されており、圧着によりケーブル１１の８本の心線１１ａ〜１１ｈと電気的に接続するようになっている。
【００２１】
コネクタ本体２１の他方の面側２１ｃにおける前面部２１ａには、複数の仕切壁２１ｆがケーブル１１の軸方向と直交する方向に所定の間隔をもって形成されている。仕切壁２１ｆは、ケーブル１１の軸方向と平行となる方向に延びている。コネクタ本体２１の一方の面側２１ｃにおける前面部２１ａには、仕切壁２１ｆによって８つの保持溝２１ｇが形成されている。各保持溝２１ｇには、クロス接続用端子２３が保持されている。各クロス接続用端子２３は、電気的接触抵抗の小さな薄板金属板から構成されている。コネクタ本体２１の寸法およびストレート接続用端子２２の寸法は、規格上の理由から従来の寸法と同じにする必要があるため、クロス接続用端子２３を取付けるためのスペースが限定されている。そのため、クロス接続用端子２３の上下方向の長さは、ストレート接続用端子２２に比べて著しく短くなっている。
【００２２】
図２に示すように、コネクタ本体２１内には、電気的接触抵抗の小さな薄板金属板からなる端子接続導体２５が設けられている。端子接続導体２５は、ストレート接続用端子２２との直下に位置しており、ストレート接続用端子２２と対向するように配置されている。端子接続導体２５は、例えばコの字状に折り曲げられており、圧着されたストレート接続用端子２２が進入可能となっている。詳しくは、ＬＡＮケーブル１０を製作する前の状態では、図１に示すように、ストレート接続用端子２２は端子接続導体２５から離れており、圧着によりストレート接続用端子２２が端子接続導体２５側に移動することにより、ストレート接続用端子２２が端子接続導体２５の内側に進入し、ストレート接続用端子２２は端子接続導体２５と電気的に接続されるようになっている。端子接続導体２５は、すべてのストレート接続用端子２２と対向するように配置される。
【００２３】
各端子接続導体２５は、コネクタ本体２１に設けられた接続回路２６の配線２６ａ〜２６ｈを介して各クロス接続用端子２３と接続されている。詳しくは、ケーブル１１の心線１１ａと接続されるストレート接続用端子２２のための端子接続導体２５は、配線２６ａを介してクロス接続用端子２３に接続されている。同様に、ケーブル１１の心線１１ｂと接続されるストレート接続用端子２２のための端子接続導体２５は、配線２６ｂを介してクロス接続用端子２３に接続されている。ケーブル１１の心線１１ｃと接続されるストレート接続用端子２２のための端子接続導体２５は、配線２６ｃを介してクロス接続用端子２３に接続されている。ケーブル１１の心線１１ｄと接続されるストレート接続用端子２２のための端子接続導体２５は、配線２６ｄを介してクロス接続用端子２３に接続されている。ケーブル１１の心線１１ｅと接続されるストレート接続用端子２２のための端子接続導体２５は、配線２６ｅを介してクロス接続用端子２３に接続されている。ケーブル１１の心線１１ｆと接続されるストレート接続用端子２２のための端子接続導体２５は、配線２６ｆを介してクロス接続用端子２３に接続されている。ケーブル１１の心線１１ｇと接続されるストレート接続用端子２２のための端子接続導体２５は、配線２６ｇを介してクロス接続用端子２３に接続されている。ケーブル１１の心線１１ｈと接続されるストレート接続用端子２２のための端子接続導体２５は、配線２６ｈを介してクロス接続用端子２３に接続されている。そして、各配線２６ａ〜２６ｈは，その位置関係によりそれぞれが接触しないような構造になっている。
【００２４】
図７に示すように、コネクタ本体２１には、端末機器３１の接続ポート３２に挿入されたＬＡＮケーブル用コネクタ２０をロックするための第一のコネクタロック爪２４が取付けられている。第一のコネクタロック爪２４は、図４、５に示すように、ベース２４ａと、係合板２４ｂと、レバー２４ｃと、保持部２４ｅとを有している。ベース２４ａは、保持部２４ｅの上面に設けられる板状の部材であり、接続ポート３２内に進入可能となっている。係合板２４ｂは、ベース２４ａから斜め上方に延びる板状部材から構成されており、係合板２４ｂからレバー２４ｃがさらに斜め上方に延びている。係合板２４ｂは、レバー２４ｃの押圧により上下方向に弾性変形可能となっている。係合板２４ｂの端部には、接続ポート３２と係合可能な第一の係合部２４ｄが形成されている。保持部２４ｅは、ベース２４ａの直下に位置するコの字状の部材であり、図５に示すように、コネクタ本体２１の全周に沿って形成された保持溝２１ｆに嵌合可能となっている。保持部２４ｅの先端部には、コネクタ本体２１と係合可能な鉤部２４ｆが形成されている。第一のコネクタロック爪２４は、コネクタ本体２１に対して着脱自在となっており、ストレート接続用端子２２の面側２１ｂおよびクロス接続用端子２３の面側２１ｃのいずれにも取付け可能に構成されている。
【００２５】
図３に示すように、コネクタ本体２１におけるストレート接続用端子２２の面側２１ｂには、ストレート接続用である旨を表示するための表示手段としての銘板２９が貼り付けられている。コネクタ本体２１におけるクロス接続用端子２３の面側２１ｃには、クロス接続用である旨を表示するための表示手段としての銘板２７が貼り付けられている。表示手段は、ストレート接続用またはクロス接続用を一目で判別するできるものであればよく、コネクタ本体２１と一体で形成されるものであってもよい。
【００２６】
図６は、ＬＡＮケーブル用コネクタ２０が挿入される端末機器３１の接続ポート３２を示している。接続ポート３２の下面側には、複数の仕切壁３２ａが形成されている。各仕切壁３２ａの間には、ストレート接続用端子２２またはクロス接続用端子２３と接触可能な接続用端子３２ｂが設けられている。接続ポート３２の上部には、コネクタ本体２１の第一のコネクタロック爪２４の係合板２４ｂが進入可能なベース挿入部３２ｃと、レバー２４ｃが進入可能なレバー挿入部３２ｄが形成されている。
【００２７】
つぎに、ＬＡＮケーブル１０の製作手順について説明する。ＬＡＮケーブル１０の製作に際しては、まずケーブル１０の先端部の被覆を剥がし、心線１１ａ〜１１ｈを直線状に矯正した後、心線１１ａ〜１１ｈを所定の順序で並べる。つぎに、心線１１ａ〜１１ｈをコネクタ本体２１の後端部に形成されたケーブル穴２１ｈに挿入する。この状態では、図２に示すように、心線１１ａ〜１１ｈは各ストレート接続用端子２２と対向する位置に導かれる。つぎに、図４に示す圧着工具４０を用いて各ストレート接続用端子２２を矢印Ｆ１方向に圧着する。これにより、各ストレート接続用端子２２は心線１１ａ〜１１ｈ側に向けて移動する。ここで、ストレート接続用端子２２と心線１１ａ〜１１ｈとの間には、端子接続導体２５が設けられているので、ストレート接続用端子２２は端子接続導体２５の内側に進入した後、心線１１ａ〜１１ｈに到達する。ストレート接続用端子２２が心線１１ａ〜１１ｈに到達した状態では、ストレート接続用端子２２の先端部によって心線１１ａ〜１１ｈの被覆が破られ、ストレート接続用端子２２の先端部は心線１１ａ〜１１ｈの電線（銅線）と電気的に接触することになる。また、ストレート接続用端子２２の圧着が完了した状態では、ストレート接続用端子２２は端子接続導体２５にも電気的に接触した状態となる。これにより、実際に使用される４本の心線１１ａ、１１ｂ、１１ｃ、１１ｆは、ストレート接続用端子２２およびクロス接続用端子２３のいずれにも接続されたことになる。ケーブル１１の他方の端部にも同様の手順によりＬＡＮケーブル用コネクタ２０が取付けられる。このように、ストレート接続用端子２２のみの圧着により、ストレートケーブルおよびクロスケーブルのいずれの機能も有するＬＡＮケーブル１０を製作することが可能となり、容易にクロスケーブルを製作することができる。
【００２８】
つぎに、ＬＡＮケーブル用コネクタ２０を用いたＬＡＮケーブル１０の作用について説明する。図７に示すように、端末機器３１の使用を開始する際には、端末機器３１の接続ポート３２へＬＡＮケーブル用コネクタ２０を挿入する。ＬＡＮケーブル用コネクタ２０は、第一のコネクタロック爪２４を有しているので、ＬＡＮケーブル用コネクタ２０を接続ポート３２に差し込んだ状態では、接続ポート３２に第一のコネクタロック爪２４の第一の係合部２４ｄが係合するので、端末機器３１の使用中にＬＡＮケーブル用コネクタ２０が接続ポート３２から外れることはない。この状態では、ＬＡＮケーブル１０はストレートケーブルとして使用しており、接続ポート３２の接続用端子３２ｂは、ストレート接続用端子２２のみと電気的に接触している。
【００２９】
ＬＡＮケーブル１０を接続した後、端末機器３１を起動させても通信ができない場合は、ＬＡＮケーブル１０の使用に誤りがあると考えられることから、ＬＡＮケーブル用コネクタ２０を一旦接続ポート３２から抜き取る。そして、図５に示すように、ＬＡＮケーブル用コネクタ２０を反転させてクロス接続用端子２３の面側２１ｃに第一のコネクタロック爪２４を取り付け、再度ＬＡＮケーブル用コネクタ２０を接続ポート３２に挿入する。ＬＡＮケーブル用コネクタ２０を反転させて接続ポート３２に挿入した場合には、接続ポート３２の接続用端子３２ｂは、クロス接続用端子２３のみと電気的に接触することになり、ＬＡＮケーブル１０はクロスケーブルとしての機能を発揮する。したがって、ケーブルの種類が間違っている場合でも、従来のようにケーブルの種類を変える必要はなくなり、ＬＡＮケーブル用コネクタ２０を反転させるという簡単な操作により端末機器３１の通信が可能となる。また、ＬＡＮケーブル用コネクタ２０には、ストレート接続とクロス接続とを表示する表示手段としての銘板２７、２９が貼り付けられているので、一目でストレート接続とクロス接続との判別が可能となる。
【００３０】
このように、一つのＬＡＮケーブル用コネクタ２０に、ストレート接続用端子２２とクロス接続用端子２３の双方が設けられているので、ケーブルの種類を間違えた場合でも、ＬＡＮケーブル用コネクタ２０を反転させるのみでケーブルを必要とする種類に切替えることができる。また、ＬＡＮケーブル用コネクタ２０の大きさは従来と変わらないので、従来技術の切替ジャックのようにスペースが限定されることもない。さらに、ＬＡＮケーブル用コネクタ２０の電気的接続部分には、回転による接触部などの可動部がないため、従来のＬＡＮケーブルのコネクタと同様に高信頼性を維持することができる。
【００３１】
（実施の形態２）
図８は、この発明の実施の形態２を示している。実施の形態２が実施の形態１と異なるところはＬＡＮケーブル用コネクタ２０をロックするためのコネクタロック爪の構成のみであり、その他の部分は実施の形態１に準じるので、準じる部分に実施の形態１と同一の符号を付すことにより、準じる部分の説明を省略する。
【００３２】
図８において、ＬＡＮケーブル用コネクタ２０におけるコネクタ本体２１には、第二の
コネクタロック爪２８が設けられている。第二のコネクタロック爪２８は、ストレート接続用端子２２の面側２１ｂおよびクロス接続用端子２３の面側２１ｃのいずれにも設けられている。第二のコネクタロック爪２８は、ベース２８ａと、レバー２８ｃとを有している。ベース２８ａは、コネクタ本体２１の表面に形成された保持溝２１ｉに沿って延びており、ＬＡＮケーブル用コネクタ２０の挿入方向に伸縮可能となっている。ベース２８ａの先端部側には、ＬＡＮケーブル用コネクタ２０の挿入方向の収縮に伴う隆起によって接続ポート３２に係合する第二の係合部２８ｂが形成されている。
【００３３】
このように構成された実施の形態２においては、ＬＡＮケーブル用コネクタ２０を接続ポート３２に挿入する際には、ベース２８ａは平坦となっており、ベース２８ａが平坦な状態でＬＡＮケーブル用コネクタ２０を接続ポート３２に挿入する。ＬＡＮケーブル用コネクタ２０の接続ポート３２への挿入が終了すると、レバー２８ｃをＬＡＮケーブル用コネクタ２０の挿入方向に押込みＬＡＮケーブル用コネクタ２０のロックを行う。レバー２８ｃが押込まれた状態では、ベース２８ａの収縮により第二の係合部２８ｂが隆起し、第二の係合部２８ｂは接続ポート３２と係合するので、端末機器３１の使用中にＬＡＮケーブル用コネクタ２０が接続ポート３２から外れることはない。
【００３４】
実施の形態２においては、第二のコネクタロック爪２８は、ストレート接続用端子２２の面側２１ｂおよびクロス接続用端子２３の面側２１ｃのいずれにも設けられており、レバー２８ｃの操作によるベース２８ａの収縮に伴う隆起によって第二の係合部２８ｂは接続ポートに係合するので、ＬＡＮケーブル用コネクタ２０を反転させる場合でも第二のコネクタロック爪２８を取外す必要がなく、操作が容易となる。
【００３５】
以上、この発明の実施の形態を詳述してきたが、具体的な構成はこの実施の形態に限られるものではなく、この発明の要旨を逸脱しない範囲の設計の変更等があっても、この発明に含まれる。例えば、ストレート接続用端子２２と接触する端子接続導体２５の形状をコの字状としているが、圧着時にストレート接続用端子２２が端子接続導体２５の内側に進入しやすく、かつストレート接続用端子２２が端子接続導体２５に確実に接触する構造であれば、形状はコの字状に限定されない。また、各端子接続導体２５は、コネクタ本体２１内に設けられた接続回路２６の配線２６ａ〜２６ｈを介して各クロス接続用端子２３と接続されているが、各端子接続導体２５と接続回路２６と各クロス接続用端子２３とを、プレス加工などにより一体成形する構成であってもよい。
【００３６】
また，上記の実施の形態は，クロスケーブル（１０ＢＡＳＥ−Ｔ，１００ＢＡＳＥ−ＴＸ）における結線の例を説明しているが、この発明はこの他にも心線３ａ〜３ｈの並びを変えた図１０に示すフルクロスケーブル（１０００ＢＡＳＥ−Ｔ）や、図１１に示すフルクロスケーブル（１０００ＢＡＳＥ−ＴＸ）にも適用できる。
【図面の簡単な説明】
【００３７】
【図１】本発明の実施の形態１に係わるＬＡＮケーブル用コネクタの分解斜視図である。
【図２】図１のＬＡＮケーブル用コネクタを矢印Ａ方向から見た場合のケーブルの心線の結線概念図である。
【図３】図１のＬＡＮケーブル用コネクタにおける表示手段の取付け位置を示す分解斜視図である。
【図４】図１のＬＡＮケーブル用コネクタにおけるストレート接続用端子の圧着時の状態を示す斜視図である。
【図５】図１のＬＡＮケーブル用コネクタにおける第一のコネクタロック爪の着脱状態を示す斜視図である。
【図６】図１のＬＡＮケーブル用コネクタが挿入される接続ポートの斜視図である。
【図７】図１のＬＡＮケーブル用コネクタを接続ポートに挿入する状態を示す斜視図である。
【図８】本発明の実施の形態２に係わるＬＡＮケーブル用コネクタの斜視図である。
【図９】従来のＬＡＮケーブルの使用状態を示す斜視図である。
【図１０】本発明が適用可能なフルクロスケーブルにおける心線の接続関係を示す配線図である。
【図１１】本発明が適用可能な別のフルクロスケーブルにおける心線の接続関係を示す配線図である。
【図１２】従来のＬＡＮケーブルにおけるストレートケーブルの心線の接続関係を示す配線図である。
【図１３】従来のＬＡＮケーブルにおけるクロスケーブルの心線の接続関係を示す配線図である。
【符号の説明】
【００３８】
１０        ＬＡＮケーブル
１１        ケーブル
１１ａ      ケーブルの心線
１１ｂ      ケーブルの心線
１１ｃ      ケーブルの心線
１１ｄ      ケーブルの心線
１１ｅ      ケーブルの心線
１１ｆ      ケーブルの心線
１１ｇ      ケーブルの心線
１１ｈ      ケーブルの心線
２０        ＬＡＮケーブル用コネクタ（コネクタ）
２１        コネクタ本体
２２        ストレート接続用端子
２３        クロス接続用端子
２４        第一のコネクタロック爪
２５        端子接続導体
２６        接続回路
２７        銘板（表示手段）
２８        第二のコネクタロック爪
２９        銘板（表示手段）
３１        端末機器
３２        接続ポート
【図１】
2009134912.tif 000003
【図２】
2009134912.tif 000004
【図３】
2009134912.tif 000005
【図４】
2009134912.tif 000006
【図５】
2009134912.tif 000007
【図６】
2009134912.tif 000008
【図７】
2009134912.tif 000009
【図８】
2009134912.tif 000010
【図９】
2009134912.tif 000011
【図１０】
2009134912.tif 000012
【図１１】
2009134912.tif 000013
【図１２】
2009134912.tif 000014
【図１３】
2009134912.tif 000015